【手続補正書】
【提出日】令和3年6月14日(2021.6.14)
【手続補正１】
【補正対象書類名】特許請求の範囲
【補正対象項目名】全文
【補正方法】変更
【補正の内容】
【特許請求の範囲】
【請求項１】
債務者からの依頼に基づく債務整理に係る情報を受け付け、前記債務者に紐づく債務整理に係る情報を記憶部に記憶するための受付手段と、
前記債務者が入金可能で、かつ、債権者に対して出金可能な代理口座の入出金に関する情報を、前記記憶部により記憶された前記債務整理に係る情報に反映するための反映手段と、
を備える、情報処理装置。
【請求項２】
債務整理に係る情報を受け付け、債務者に紐づく前記債務整理に係る情報を記憶部に記憶するための受付手段と、
前記債務者が入金可能で、かつ、債権者に対して出金可能な代理口座の入出金に関する情報を、前記記憶部により記憶された前記債務整理に係る情報に反映するための反映手段と、
精算に関する情報又は精算に関する機能を、外部に提供する提供手段と、
前記記憶部により記憶された前記債務整理に係る情報に、前記債務者ごとの債権者との和解に関する和解情報を反映する手段と、
前記代理口座に入金された金額に基づいて、和解交渉を行うか否かを判断する手段と、
を備える、情報処理装置。
【請求項３】
債務整理に係る情報を受け付け、債務者に紐づく前記債務整理に係る情報を記憶部に記憶するための受付手段と、
前記債務者が入金可能で、かつ、債権者に対して出金可能な代理口座の入出金に関する情報を、前記記憶部により記憶された前記債務整理に係る情報に反映するための反映手段と、
前記債務整理に関する費用を前記代理口座から精算する手段と、
前記記憶部により記憶された前記債務整理に係る情報に、前記債務者ごとの債権者との和解に関する和解情報を反映する手段と、
前記代理口座に入金された金額を、和解交渉を行うか否かを判断するユーザに報知する報知手段と、
を備える、情報処理装置。
【請求項４】
債務整理に係る情報を受け付け、債務者に紐づく前記債務整理に係る情報を記憶部に記憶するための受付手段と、
前記債務者が入金可能で、かつ、債権者に対して出金可能な代理口座の入出金に関する情報を、前記記憶部により記憶された前記債務整理に係る情報に反映するための反映手段と、
精算に関する情報又は精算に関する機能を、外部に提供する提供手段と、
前記記憶部により記憶された前記債務整理に係る情報に、前記債務者ごとの債権者との和解に関する和解情報を反映する手段と、
前記代理口座に入金された金額を、和解交渉を行うか否かを判断するユーザに報知する報知手段と、
を備える、情報処理装置。
【請求項５】
前記記憶部により記憶された前記債務整理に係る情報に、前記債務者ごとの債務事件に関する事件情報を反映する手段と、
前記記憶部により記憶された前記債務整理に係る情報に、前記債務者ごとの債権者に関する債権者情報を反映する手段と、
前記記憶部により記憶された前記債務整理に係る情報に、前記債権者ごとの債務に関する債務情報を反映する手段と、
をさらに備える請求項１から請求項４の何れか一項に記載の情報処理装置。
【請求項６】
前記情報処理装置は通信網を介してインターネットバンキングシステムに接続されており、
前記インターネットバンキングシステムに対し、前記債務者に係る債権者ごとに前記代理口座から送金する前記債権者ごとの送金額を示す送金情報を送信する手段と、
をさらに備える請求項５に記載の情報処理装置。
【請求項７】
前記インターネットバンキングシステムから前記債務者ごとに代理口座に入金した前記債務者ごとの入金額を示す入金情報を受信する手段と、
をさらに備える請求項６に記載の情報処理装置。
【請求項８】
前記記憶部により記憶された前記債務整理に係る情報に、前記債務者ごとの債権者との交渉記録に関する交渉記録情報、前記債務者ごとの裁判進捗に関する裁判進捗情報及び前記債務者ごとの裁判経費に関する裁判経費情報のいずれか又は全てを反映する手段と、
をさらに備える請求項１から請求項７のいずれか一項に記載の情報処理装置。
【請求項９】
前記情報処理装置は通信網を介してインターネットバンキングシステムに接続されており、
前記インターネットバンキングシステムから、前記債務者ごとに代理口座に入金した前記債務者ごとの入金額を示す入金情報を受信する手段と、
前記インターネットバンキングシステムに対し、前記債務者に係る債権者ごとに前記代理口座から送金する前記債権者ごとの送金額を示す送金情報を送信する手段と、
をさらに備える請求項１から請求項４の何れか一項に記載の情報処理装置。
【請求項１０】
前記インターネットバンキングシステムから、前記債権者ごとに前記代理口座から出金した前記債権者ごとの出金額を示す出金情報を受信する手段と、
前記記憶部により記憶された前記債務者ごとの情報に前記出金情報を反映する手段と、
をさらに備える請求項９に記載の情報処理装置。
【請求項１１】
コンピュータを、
債務者からの依頼に基づく債務整理に係る情報を受け付け、前記債務者に紐づく債務整理に係る情報を記憶部に記憶するための受付手段、
前記債務者が入金可能で、かつ、債権者に対して出金可能な代理口座の入出金に関する情報を、前記記憶部により記憶された前記債務整理に係る情報に反映するための反映手段、
として機能させるプログラム。
【請求項１２】
コンピュータを、
債務整理に係る情報を受け付け、債務者に紐づく前記債務整理に係る情報を記憶部に記憶するための受付手段、
前記債務者が入金可能で、かつ、債権者に対して出金可能な代理口座の入出金に関する情報を、前記記憶部により記憶された前記債務整理に係る情報に反映するための反映手段、
精算に関する情報又は精算に関する機能を、外部に提供する提供手段、
前記記憶部により記憶された前記債務整理に係る情報に、前記債務者ごとの債権者との和解に関する和解情報を反映する手段、
前記代理口座に入金された金額に基づいて、和解交渉を行うか否かを判断する手段、
として機能させるプログラム。
【請求項１３】
コンピュータを、
債務整理に係る情報を受け付け、債務者に紐づく前記債務整理に係る情報を記憶部に記憶するための受付手段、
前記債務者が入金可能で、かつ、債権者に対して出金可能な代理口座の入出金に関する情報を、前記記憶部により記憶された前記債務整理に係る情報に反映するための反映手段、
前記債務整理に関する費用を前記代理口座から精算する手段、
前記記憶部により記憶された前記債務整理に係る情報に、前記債務者ごとの債権者との和解に関する和解情報を反映する手段、
前記代理口座に入金された金額を、和解交渉を行うか否かを判断するユーザに報知する報知手段、
として機能させるプログラム。
【請求項１４】
コンピュータを、
債務整理に係る情報を受け付け、債務者に紐づく前記債務整理に係る情報を記憶部に記憶するための受付手段、
前記債務者が入金可能で、かつ、債権者に対して出金可能な代理口座の入出金に関する情報を、前記記憶部により記憶された前記債務整理に係る情報に反映するための反映手段、
精算に関する情報又は精算に関する機能を、外部に提供する提供手段、
前記記憶部により記憶された前記債務整理に係る情報に、前記債務者ごとの債権者との和解に関する和解情報を反映する手段、
前記代理口座に入金された金額を、和解交渉を行うか否かを判断するユーザに報知する報知手段、
として機能させるプログラム。
【手続補正２】
【補正対象書類名】明細書
【補正対象項目名】発明の名称
【補正方法】変更
【補正の内容】
【発明の名称】情報処理装置及びプログラム